(57)【要約】【課題】  煩雑な操作を必要とせずに利用者の設定を切り替えることが可能なデジタルテレビジョン装置を提供できるようにする。【解決手段】  利用者毎にカスタマイズされたメニューを保存可能な機構と、利用者毎に保存されているメニューを切り替えられる機構と、視聴中の利用者を識別し検出可能な機構を有し、識別された結果に基づいてメニューの設定を切り替えるようにする。【選択図】        図１
2005117185.tif 000002
【特許請求の範囲】
【請求項１】
利用者毎に対応した操作環境設定を保存する手段と、
前記操作環境設定に基づいて操作環境を切り替えられる機能手段と、
装置の現在の利用者を識別する手段と、
前記利用者の識別結果に基づいて利用者を特定し、当該利用者に対応した操作環境設定を利用して操作環境を切り替える手段と、
を備えたことを特徴とするデジタルテレビジョン装置。
【請求項２】
請求項１に記載のデジタルテレビジョン装置において、利用者毎の優先度情報を設定、記録する手段を備え、複数の利用者が同時に機器によって識別された場合には、デジタルテレビジョン装置に記録されている前述の利用者毎の優先度情報を基に識別された複数の利用者の中でもっとも優先度の高い利用者の操作環境設定に基づく操作環境に切り替えることを特徴とするデジタルテレビジョン装置。
【請求項３】
請求項２に記載のデジタルテレビジョン装置において、利用者毎の優先度情報は、デジタルテレビジョン装置に対する使用頻度を基に検出する手段を備えたことを特徴とするデジタルテレビジョン装置。
【請求項４】
請求項１に記載のデジタルテレビジョン装置において、複数の利用者が同時に機器によって識別された場合に、識別された利用者個々の操作環境設定の各項目ついて、優先順位の情報を基に複数の利用者の操作環境設定より順番に選択し、新たな合成された複数の利用者用の操作環境設定を生成する手段を設け、当該合成された操作環境設定を用いて操作環境を切り替える手段を備えたことを特徴とするデジタルテレビジョン装置。
【請求項５】
請求項１に記載のデジタルテレビジョン装置において、複数の利用者が同時に機器によって識別された場合に、事前に当該利用者の組み合せでの操作環境設定を作成、登録し、前記識別された複数の利用者と一致した場合には、当該操作環境設定を用いて操作環境を切り替える手段を備えたことを特徴とするデジタルテレビジョン装置。
【請求項６】
請求項１に記載のデジタルテレビジョン装置において、あらかじめ設定してある操作環境設定の内容から特定のパラメータ項目により識別された利用者のグループ識別を行う手段と、単一または複数の利用者が機器によって識別された際に、前記識別された複数の利用者の中に、前述の特定のパラメータ項目を満たす利用者が識別されていない場合に、特定の機能を制限する手段を設けたことを特徴とするデジタルテレビジョン装置。
【請求項７】
請求項１に記載のデジタルテレビジョン装置において、あらかじめ設定してある操作環境設定の内容から特定のパラメータ項目により識別された利用者のグループ識別を行う手段と、単一または複数の利用者が機器によって識別された際に、前記識別された複数の利用者の中に、前述の特定のパラメータ項目を満たさない利用者が識別されている場合に、特定の機能を制限する手段を設けたことを特徴とするデジタルテレビジョン装置。
【請求項８】
請求項１から請求項７のいずれか１項に記載のデジタルテレビジョン装置において、デジタルテレビジョン装置に対する利用者の識別を行う手段として、利用者毎に保持している赤外線リモコン装置から発信される赤外線信号に前置されるタイプコードにより、利用者の識別を行うことを特徴とするデジタルテレビジョン装置。
【請求項９】
請求項１から請求項７のいずれか１項に記載のデジタルテレビジョン装置において、デジタルテレビジョン装置に対する利用者の識別を行う手段として、利用者毎に保持している携帯情報機器の持つ近距離用無線通信手段の発信するＩＤコードにより利用者の識別を行うことを特徴とするデジタルテレビジョン装置。
【請求項１０】
請求項１から請求項７のいずれか１項に記載のデジタルテレビジョン装置において、デジタルテレビジョン装置に対する利用者の識別を行う手段として、デジタルテレビジョン装置に搭載された撮像手段と、利用者の顔認識手段を用いて、利用者の識別を行うことを特徴とするデジタルテレビジョン装置。
【発明の詳細な説明】
【技術分野】
【０００１】
本発明は、デジタルテレビジョン装置に係り、特に視聴者であるユーザのプロファイル情報を基に、ユーザに対するサービス機能を変化することの出来るデジタルテレビジョン装置に関するものである。
【背景技術】
【０００２】
最近の情報家電を含む各種の情報機器においては、ユーザである利用者を識別する為のＩＤを持ち、当該ＩＤ毎にそれぞれ対応した、各種のプロファイル情報を設定、利用するものが知られている。
【０００３】
即ち、利用者個人の趣味や嗜好に合わせたデザインや必要な機能を整理したＧＵＩ（Graphic user interface）メニューの状態設定情報、あるいは、利用者に適した情報を提供する為のキーワード情報などを、利用者毎のプロファイル情報として、予め設定するなどして用意し、情報機器の利用時に、現在の利用者を名称や記号等のＩＤにより識別する事により、前述の設定情報などのプロファイル情報を呼び出し、情報機器の持つ各種のサービス機能に利用していた。
【０００４】
この時、利用者と識別するためには、情報機器を利用開始する際に、利用者に何らかのログイン操作、例えば、パソコンの如く、利用者個人の持つＩＤやパスワードを入力したり、あるいは簡単の為に、図８に示す様に、表示画面上に自分に割り当てられたボタンを選択して押させたり、あるいは、図９に示す様に、リモコン装置に配置されたユーザボタンを押させるなどの操作を行わせていた。
【０００５】
【特許文献１】特開平１１−１６４２８４号公報
【発明の開示】
【発明が解決しようとする課題】
【０００６】
しかしながら、上記の様な方法では、利用者の識別を行うにあたり、情報機器を使用する利用者に、始めに利用者の設定を行う為の画面を表示させ、自分のＩＤを代表する名称の入力や、ボタンの操作などの作業を経て、利用者の識別を行い、識別された結果に基づき必要な設定情報の読み込みを行う必要があり、利用者が気軽にアクセス出来るような情報家電においては、この様な利用者に多くの手間を取らせる方法は、全く好ましく無いものであった。
【０００７】
さらに、家庭内における情報家電においては、デジタルテレビジョン装置に代表される様な、リビングに設置され、多くの場合、複数の人数で利用する場合も少なくは無い。この様な場合は、特定の情報にアクセス制限されている利用者や、逆に、多くの権限を与えられている利用者が混在した場合など、どちらの利用者のＩＤを選択するべきか、利用者自身も、選択に困る場合も多かった。
【０００８】
また、家庭内における情報家電においては、利用者が頻繁に入れ替わる事も多く、その都度、利用者の識別をする為の操作を行わせる事は事実上不可能であり、せっかくの利用者毎のプロファイル情報を保持していても、役に立たない場合も多かった。
【０００９】
そこで本発明の課題は、上記の問題点を解決することにある。
【課題を解決するための手段】
【００１０】
本発明は上記の課題を解決するために、利用者毎に対応した操作環境設定を保存する手段と、前記操作環境設定に基づいて操作環境を切り替えられる機能手段と、装置の現在の利用者を識別する手段と、前記利用者の識別結果に基づいて利用者を特定し当該利用者に対応した操作環境設定を利用して操作環境を切り替える手段とを備えたことを特徴とするデジタルテレビジョン装置を提供する。
【発明の効果】
【００１１】
本発明によれば、デジタルテレビジョン装置を利用する際に、常に、利用するユーザに合わせたプロファイルデータ情報を利用した各種のサービスが可能となり、利用者にとって快適な視聴が可能となるものである。
【発明を実施するための最良の形態】
【００１２】
（第１の実施例）
図１は本発明によるデジタルテレビジョン装置の外観図である。図１において、１０１はデジタルテレビジョン装置本体、１０２〜１０５はそれぞれ個別のユーザＡ〜Ｄが使用するリモコン装置を示す。
【００１３】
図２は本発明によるリモコン装置の外観図であり、２０１はリモコン装置本体、２０２〜２０６はデジタルテレビジョン装置の各種設定メニュー画面を操作するための上下左右移動ボタン及び中央の実行ボタン、２０７はデジタル放送時のデータ放送に用いられるカラーボタン、２０８はチャンネルをアップダウンする為のチャンネルアップダウンボタン、２０９はデジタルテレビジョン装置の音量を制御するためのアップダウンボタンを示す。
【００１４】
図３は本発明によるデジタルテレビジョン装置の内部構成を示すブロック図であり、ここで３０１はデジタル放送電波を受信する為のアンテナ装置、３０２はアンテナから受信された電波を選局、同調する為のチューナ装置、３０３は選局された電波を復調し信号に変換する為の復調回路装置、３０４は復調された信号からＴＳ（transport stream）信号を分離する為のＴＳデコーダ回路、３０５は分離されたＴＳ信号より映像デコードを行なう映像デコーダ回路、３０６は同じくＴＳ信号より音声でコードを行う音声デコーダ回路、３０７は同じくＴＳ信号よりデータ放送のデコードを行うデータ放送デコーダ回路、３０８はデジタルテレビジョン装置本体の各種制御装置からの情報を表示する為のＯＳＤ回路、３０９はデジタルテレビジョン装置に搭載されている各種アプリケーション、３１０はデジタルテレビジョン装置内部で作成された各種映像情報を合成して出力する画像合成部、３１１はデジタルテレビジョン装置の表示画面となるモニタ装置、３１２はデジタルテレビジョン装置の各種制御の為のプログラム及び搭載されたアプリケーションのプログラム及び各種データを格納する為のＲＯＭ装置、３１３はデジタルテレビジョン装置の各種制御の為のプログラム及び搭載されたアプリケーションのプログラム及び各種データを格納し、さらに、前記アプリケーションを動作させる為のワークとなるＲＡＭ装置、３１４はデジタルテレビジョン装置の各種制御及びプリケーションを実行する為のＣＰＵ装置、３１５はデジタルテレビジョン装置と外部機器との通信を行う為のモデム装置、３１６はデジタルテレビジョン装置の限定受信動作を行う際の認証動作、あるいは外部機器との各種情報のやり取りを行う為のＩＣカード装置、３１７はデジタルテレビジョン装置の各回路ブロック間の情報伝達を行う為のバス装置、３１８はデジタルテレビジョン装置に接続された外部機器との画像データを含む高速なデータのやり取りを行う為のインターフェース回路、３１９はリモコン装置の信号を受信する為のリモコン受信部、３２０は受信した各種のデータや番組、あるいはデジタルテレビジョン装置の情報を記録、蓄積する為のＨＤＤ装置、３２１はデジタルテレビジョン装置の各種データを通電時以外にも安全に記録しておく為の不揮発性ＲＡＭ、３２２〜３２４は夫々個別のユーザが使用するリモコン装置を示している。
【００１５】
図４は本発明によるデジタルテレビジョン装置及びリモコン装置の特定のボタンが押された際に、リモコン装置より発信される赤外線リモコン信号の概略を説明する図であり、４０１はリモコン装置から発信された赤外リモコン信号のうち、先頭に置かれるメーカーコードを示すブロック、以下同様に４０２は２番目に置かれるタイプコードを示すブロック、４０３は３番目に置かれるコマンドコードＡを示すブロック、４０４は４番目に置かれるコマンドコードＢを示すブロックである。また、４０５は前述の４０１〜４０４をまとめて表記したブロックであり、４０６はリモコン装置のボタンが連続して押された際に繰り返して発信される４０５と同等の内容のブロック群を示している。
【００１６】
ここで、４０１のメーカーコードは、デジタルテレビジョン装置やリモコン装置の製造者であるメーカー毎に割り当てられたコードであり、これにより同じ周波数のキャリア信号を利用する赤外線リモコン信号のメーカー間の違いによる混信を防いでいる。また、４０２のタイプコードは、本来、同一メーカーで同一機種の操作を行う際に、それぞれの機器を識別する為に設けられたのコードであるが、本実施例では、デジタルテレビジョン装置の利用者が持つ複数のリモコンについて、夫々、異なるタイプコードを持たせているものである。また、コマンドコードＡ及びコマンドコードＢについては、その組み合わせによって、様々なコマンドが定義されているものである。
【００１７】
図５は、図４で説明したメーカーコードとタイプコードの組み合わせからなる赤外線信号を発信する複数のリモコン装置と、それぞれに対応する利用者のユーザＩＤの対応を示した図である。
【００１８】
図６は、デジタルテレビジョン装置が予め保持しているユーザプロファイルデータベースの例を説明する図であり、ここではユーザＡからユーザＤまでの４名のユーザのプロファイル情報を示している。プロファイル情報としては、夫々のユーザについて、ユーザＩＤ、ユーザ名、年齢、性別、視聴制限のレベル、拡張機能のパタン、ユーザの選択したＧＵＩのテーマ色、デジタルテレビジョン装置の利用傾向、デジタルテレビジョン装置に対する良く使う操作、ユーザが予め登録した番組推薦機能の為のキーワードなどが格納されている。
【００１９】
図７は、本発明によるデジタルテレビジョン装置がリモコン装置からの赤外線リモコン信号をイベントとして受け取った際の処理を説明する流れ図である。本図において、７０１はリモコン装置からの赤外線リモコン信号を処理するルーチンのエントリポイントであり、デジタルテレビジョン装置において、受信した赤外線リモコン信号のうち、デジタルテレビジョン装置自身のメーカーコードと一致した信号についてのみ処理が行われるものである。７０２は図４に示す赤外線リモコン信号よりリモコンタイプコードを検出するステップ、７０３は７０２で検出されたリモコンタイプコードと図５のタイプコードとユーザＩＤの対応図よりユーザＩＤを参照するステップ、７０４は、７０３の参照結果よりユーザを特定するステップ、７０５はデジタルテレビジョン装置を利用中のユーザが格納されるユーザリストに現在ユーザが居るか否かを判定するステップであり、７０６はユーザリストが空であった場合にユーザリストを作成するステップ、７０７は７０４で特定したユーザをユーザリストに追加登録するステップ、７０８は７０４で特定したユーザについてタイムアウト用のタイマを起動させるステップ、７０９はユーザリストに登録されている全てのユーザに対して、図６のプロファイル情報を基に、最も優先順位の高いユーザを判定するステップ、７１０は７０９で選定された優先ユーザのプロファイルデータを読み込みステップ、７１１は７１０で読み込まれたプロファイルデータに基づき、操作環境の各種カスタマイズ処理を行うサブルーチン、７１２は７０４で特定したユーザの操作が、当該ユーザの視聴終了を示すコマンドで在るか否かを判定するステップ、７１３は、７０４で特定したユーザの個別のタイマをクリアするステップ、７１４は前述のユーザリストに登録されているユーザの中で、個別のタイマの値がタイムアウトの値を超えているか否かを判定するステップ、７１５は７１２で視聴終了のコマンドを実行しようとした操作ユーザ、あるいは７１４でタイムアウトしたユーザリスト中のユーザについて、ユーザリストから削除するステップ、７１６はユーザリストが空になったか否かを判定するステップ、７１７は７１６においてユーザリストが空では無かった場合に、図５の対応情報を基にユーザリストに残っているユーザの優先順位を再判定するステップ、７１８は７１７で再判定された優先ユーザのプロファイル情報を再読み込みするステップ、７１９は７１８で読み込まれたプロファイルデータに基づき、操作環境の各種カスタマイズ処理を行うサブルーチン、７２０は操作ユーザによる赤外線リモコン信号により送られたコマンドを実行するステップ、７２１はリモコン装置からの赤外線リモコン信号によるイベント処理を終了するステップとなる。
【００２０】
以下、図１から図７を用いて、本発明による第１の実施例について詳細に説明する。今、図１、１０１のスタンバイ状態のデジタルテレビジョン装置に対して、ユーザＡの持つリモコン装置１０２による操作がなされたとする。この時、ユーザＡからユーザＤにおいては、予めそれぞれのユーザに対応する図６に示す様なプロファイル情報がユーザ自身、及び、デジタルテレビジョン装置に対する各種の視聴履歴あるいは操作履歴により登録及び記述が行われているものである。
【００２１】
デジタルテレビジョン装置に対するリモコン装置による操作が行われると、図４の赤外線リモコン信号に含まれるメーカーコードが一致する事で、図７のステップ７０１からなるリモコン装置による赤外線リモコン信号のイベント処理が開始される。ステップ７０２では、赤外線リモコン信号に含まれるリモコンタイプコードの検出が行われ、ここではユーザＡの持つリモコンのタイプコードであるタイプＡが検出される。
【００２２】
さらにステップ７０３において、図５の対応図が参照され、ステップ７０４において操作者がユーザＡである事が確定される。ステップ７０５では、今回のユーザＡのリモコン装置による操作がデジタルテレビジョン装置の起動に関するコマンドであり、ユーザリストが空である為にステップ７０６へと進みユーザリストが作成される。次にステップ７０７では、操作者であるユーザＡのユーザリストへの追加が行われ、ステップ７０８でユーザの為のタイムアウトを計測する個別タイマが起動される。
【００２３】
ステップ７０９では、図５の５０４および５０５に記載の優先順位の項目が参照されるが、ここではユーザＡのみしかユーザリストに存在していない為に、ステップ７１０においては、ユーザＡのプロファイル情報、図６のユーザＡのプロファイル情報が読み込まれる。
【００２４】
ステップ７１１では、デジタルテレビジョン装置における操作環境のカスタマイズ処理が行われる。操作環境のカスタマイズには、操作メニューや各種ＯＳＤ機能のルック＆フィールの変更の他、操作メニュー項目の入れ替えや機能制限や機能拡張による増減、カテゴライズの変更、表示フォントの変更等も変更するものである。また同時に、当該ユーザの視聴履歴や操作履歴により、一度登録されたプロファイル情報についても逐次更新される。また、デジタルテレビジョン装置の持つエージェント機能を組み合わせる事で、各種の視聴支援機能や番組推薦機能の為のデータとしても活用されるものである。この様に、ステップ７１１の操作環境のカスタマイズ処理においては、あたかも個人毎に全く別のデジタルテレビジョン装置の如く使い易くカスタマイズする事が可能な処理であるが、本発明においては直接関係無いのでここでは詳細な説明は省略する。
【００２５】
次に、ステップ７１２では、赤外線リモコン信号の４０４及び４０５からなる組み合わせが、視聴を終了するコマンドであるか否かを判定するステップであり、ここでは、デジタルテレビジョン装置の起動の為のコマンドである為にステップ７１３へと進み、ここではステップ７０８で起動した、操作ユーザであるユーザＡのタイムアウト用タイマのクリアが行われ次のステップへと進む。
【００２６】
ステップ７１４では、ユーザリストに存在するユーザで、個別のタイムアウト用タイマがタイムアウトとなっているかどうかを判定し、現在はユーザリストに操作ユーザＡしか存在せず、尚且つ、ステップ７１３においてタイムアウト用タイマのクリアを行ったばかりである為にステップ７２０へと進む、赤外線リモコン信号からのコマンドが実行され、ステップ７２１でリモコンイベントの処理が終了する。
【００２７】
次に、デジタルテレビジョン装置の利用者としてユーザＡに加えてユーザＢが加わった際のデジタルテレビジョン装置の動作を説明する。今、デジタルテレビジョン装置に対して、ユーザＢによるリモコン装置１０３による操作が行われると、図７のステップ７０１からなるリモコンイベント処理が実行される。
【００２８】
ステップ７０２では、タイプコードの検出が行われ、ユーザＢの持つリモコン装置の信号からは、タイプＢのコードが検出される。ステップ７０３では、先に検出されたタイプコードより、図５の対応図より、ユーザＩＤが参照され、ステップ７０４でユーザＢである事が確定する。ステップ７０５では、既にユーザリストが存在している為にステップ７０７へと進み、ユーザＢが新たにユーザリストに追加される。次にステップ７０８では、ユーザＢの為の個別のタイムアウト用タイマが起動され、ステップ７０９へと進む。
【００２９】
ステップ７０９では、図５の対応図より、ユーザＡとユーザＢのみが存在する場合の優先順位リスト５０５が参照され、ユーザＢが高位である優先順位が確定する。次にステップ７１０では、ユーザＡに対してより高位であるユーザＢのプロファイルデータの読み込みが行われ、ステップ７１１において今度はユーザＢのプロファイルデータ６０２による操作環境のカスタマイズが行われる。
【００３０】
次にステップ７１２では、ユーザＢのリモコン装置による操作がユーザＢによる視聴を終了するコマンドであったか否かを判定し、通常の操作である場合にはステップ７１３へと進む。ステップ７１３では、現在の操作ユーザであるユーザＢのタイムアウト用タイマの値がクリアされ、ステップ７１４において、ユーザリストに存在するユーザＢ以外のユーザのタイムアウト用タイマの値がタイムアウトの値を超えているか否かを判定し、超えている場合にはステップ７１５へと進む。ここでは、ユーザリストに登録されている他のユーザであるユーザＡのタイムアウト用タイマの値が判定され、タイムアウトの値を超えていない場合にはステップ７２０へと進み、コマンドの実行が処理されステップ７２１でリモコンイベントの処理が終了する。また、この時、ユーザＡのタイムアウト用タイマの値がタイムアウトの値を超えていた場合には、ステップ７１５へと進み、ユーザＡをユーザリストから削除する処理が行われ、ステップ７１６でユーザリストが空であるか否かが判定され、ここではユーザＢが依然登録されている為にステップ７１７へと進む。
【００３１】
ステップ７１７では図５の対応図を元にユーザの優先順位が再判定され、ここではユーザＢのみとなる為、先程と同様に、ステップ７１８でユーザＢのプロファイルデータが読み込まれ、ステップ７１９でユーザＢのプロファイルデータに基づく操作環境のカスタマイズ処理が行われ、ステップ７２０でコマンドの実行が行われた後に、ステップ７２１においてリモコンイベントの処理が終了する。
【００３２】
今説明した例では、デジタルテレビジョン装置に対して始めにユーザＡが操作を行う事で利用者として登録され、ユーザＡのプロファイルデータ情報に基づいた操作環境カスタマイズ処理が行われ、その後引き続き、ユーザＢがデジタルテレビジョン装置の利用者として登場し、リモコン装置の操作を行う事で利用者と登録され、同時に、ユーザＡとユーザＢの優先順位の判定によりユーザＢのプロファイルデータ情報に基づく操作環境のカスタマイズ処理が行われた。
【００３３】
この状態で、さらにユーザＣが専用のリモコン装置１０４を用いて操作を行う事で、デジタルテレビジョン装置に対する利用者として追加され、先程と同じように図７によるリモコンイベントの処理が行われる事となる。ただし、ユーザＣが利用者として追加される事で、ステップ７０９の優先順位の判定時に参照される図５に示す対応図のうち、今度は、ユーザＡ、ユーザＢ、ユーザＣの三者を含む優先順位の判定テーブル５０４が参照される事で、優先されるユーザがユーザＢからユーザＡへと再び変化する。その結果、ユーザＡとユーザＢの２者による利用時にはユーザＢによる操作環境のカスタマイズ処理が行われていたが、ユーザＣが加わる事でユーザＡによる操作環境のカスタマイズ処理が行われるものである。
【００３４】
また、この後、デジタルテレビジョン装置に対する操作が、ユーザＡとユーザＢの２者による操作が続き、前記何れかの操作時において、ユーザＣのタイムアウト用タイマの値が、特定の値を超える事で、その後、ユーザＡあるいはユーザＢによる操作を行った際に、ステップ７１４においてユーザＣのタイムアウトが判定され、ステップ７１５においてユーザリストからユーザＣが削除された後、ステップ７１７の優先順位の再判定時に再び、ユーザＢの優先順位が上になり、その結果、ユーザＢによる操作環境のカスタマイズ処理が実行される事となる。
【００３５】
この様に、本実施例によれば、デジタルテレビジョン装置に対する利用者が夫々独自のリモコン装置を利用して操作を行う事で、逐次、現在の利用者を把握しつつ、当該利用者の中から、その利用者の組み合わせに対応した最も優先順位の高いユーザを確定し、デジタルテレビジョン装置の操作環境を当該優先順位の高いユーザに合わせた物にする事が出来る。
【００３６】
また、デジタルテレビジョン装置を視聴してはいるが、他のユーザほど積極的には視聴しておらず、リモコン装置による操作を殆ど行っていないユーザに関しては、タイムアウト用タイマのカウント値を利用してユーザリストから除外する事が出来、操作環境のカスタイマズを行うための優先ユーザ候補から除外する事が可能である。
【００３７】
（第２の実施例）
前述の第１の実施例においては、デジタルテレビジョン装置を利用しているユーザの特定を行い、特定されたユーザの中から最も優先度の高いユーザを判定し、当該ユーザのプロファイルデータ情報を利用して操作環境のカスタマイズ処理を行っていたが、デジタルテレビジョン装置に予め、複数の利用者の組み合わせに対応した複数ユーザの為のプロファイルデータ情報を用意し、デジタルテレビジョン装置が複数の利用者を特定した場合には、該当するユーザの組み合わせに対応したプロファイルデータ情報を検索し、ユーザの組み合わせが一致した場合には当該組み合わせに対応したプロファイルデータ情報を利用して操作環境のカスタマイズ処理を行う構成にしても良い。
【００３８】
この様な構成にする事で、利用者の組み合わせた状況の変化に対応した最適な操作環境のカスタマイズ処理が実現可能となる。
【００３９】
（第３の実施例）
前述の第１及び第２の実施例においては、デジタルテレビジョン装置を利用しているユーザの特定を行い、当該ユーザの中の最も優先順位の高いユーザのプロファイルデータ情報、あるいは特定のユーザの組み合わせに対応したプロファイルデータ情報を利用して操作環境のカスタマイズ処理を行っていたが、デジタルテレビジョン装置が利用者として登録された複数のユーザの特定を行った場合には、当該複数のユーザが持つ個々のプロファイルデータ情報を適宜合成し、新たなユーザのプロファイルデータ情報の生成を行い、当該合成された新たなプロファイルデータ情報を利用した操作環境のカスタマイズ処理を行っても構わない。
【００４０】
例えば、図６の６１６から６１９に示す「良く使う操作１」から「良く使う操作４」の項目は、ユーザ毎の操作履歴により、当該ユーザが多く利用する機能に対する操作をその回数の多い順に記録したものであり、該当するプロファイルデータ情報により操作環境がカスタマイズ処理された際には、当該項目が操作メニューの先頭部分に記録された順番に現れ、利用者が簡単に当該メニュー項目を選択し易くする為のものであるが、今、デジタルテレビジョン装置の利用者としてユーザＡからユーザＤまで４名の利用者が特定された場合には、全てのユーザのプロファイルデータ情報より、各ユーザが最も良く使う操作である「良く使う操作１」の項目を取り出し、操作メニューの上位より、ユーザＡからユーザＤまでの優先順位に従って、先頭から４つの「良く使う操作１」を操作メニューの入れ替え候補として並べた新たなプロファイルデータ情報を作成しても良い。
【００４１】
この様に、個々のユーザのプロファイルデータ情報から、個々のユーザの優先度を元に、記録された特定のプロファイルデータ情報を合成し、それを利用して操作環境のカスタマイズ処理を行う、ことで、予め組み合わせが予想されていなかった、複数のユーザが利用する際にも、個々のユーザに使い易い操作環境を提供出来る。
【００４２】
（第４の実施例）
前述の第１から第３の実施例においては、デジタルテレビジョン装置を利用するユーザと、対応するプロファイル情報について、予め優先順位や組み合わせ、あるいは優先順位による合成により、利用するプロファイルデータ情報を定めていたが、本実施例では、図６の６０８に示す視聴制限のレベルに注目し、デジタルテレビジョン装置が特定した利用者の如何なる組み合わせにおいても、利用者の中に、前述の視聴制限のレベルが他の利用者と異なるユーザを特定した場合には、デジタルテレビジョン装置の視聴制限機能をユーザの中の最も視聴制限の多いレベルに制限する様にしても良い。
【００４３】
この様な構成にする事で、デジタルテレビジョン装置を複数のユーザで利用する際にも、ユーザの中に年齢等による視聴制限保護を受ける小さい子供が複数居た場合にも、常にもっとも視聴制限の多いユーザのレベルに制限する事が可能となり、安心した視聴が行えるものである。
【００４４】
（第５の実施例）
前述の第１から第３の実施例においては、デジタルテレビジョン装置を利用するユーザと、対応するプロファイル情報について、予め優先順位や組み合わせ、あるいは優先順位による合成により、利用するプロファイルデータ情報を定めていたが、本実施例では、図６の６０９に示す機能拡張のパタンに注目し、デジタルテレビジョン装置が特定した利用者の如何なる組み合わせにおいても、利用者の中に、一人も機能拡張の権限をもつユーザが特定出来なかった場合には、デジタルテレビジョン装置の機能を制限する構成にしても良い。
【００４５】
この様な構成にする事で、デジタルテレビジョン装置を複数のユーザで利用する際にも、ユーザの中に機能拡張の権限を持つ大人が一人もいない場合には、有料番組やショッピング番組に対する購入操作などが制限され、大人が居なくても、安心した視聴が行えるものである。
【００４６】
（第６の実施例）
前述の第１から第５の実施例においては、利用者の特定に夫々のユーザが利用するリモコン装置が発する赤外線リモコン信号のタイプコードを利用したが、これはその他の信号検出手段でも良く、例えば、利用者毎に保持しているＰＤＡ装置や携帯電話などに搭載されているブルートゥースやＵＷＢなどの近距離無線通信手段を用いて、デジタルテレビジョン装置の近くにいる予め利用者として登録されているユーザを検出する手段を用いても構わない。
【００４７】
この様な手段を用いる事で、デジタルテレビジョン装置に対する操作を全く行っていないにも関わらず、デジタルテレビジョン装置の視聴を行っているユーザに関しても確実な検出が可能となる。また、頻繁に、ユーザが入れ替わる様な環境においても、ユーザが特別な操作を行う事無く、視聴ユーザの特定が可能となる。
【００４８】
（第７の実施例）
前述の第１から第５の実施例においては、ユーザが各自のリモコン装置による操作を行うか、あるいはデジタルテレビジョン装置の近くにいるか否かによりデジタルテレビジョン装置の利用者であるか否かを判定していたが、本実施例では、デジタルテレビジョン装置に搭載されているＴＶ電話機能などの為に用意されているカメラ手段と、近年実用化が進んでいる、顔認識手段を組み合わせ、デジタルテレビジョン装置に対して、特定の距離及び特定の角度範囲、即ち視聴に適した距離及び角度で、尚且つデジタルテレビジョン装置の表示画面に対して概ね正面を向いている利用者のみを前記顔認識手段を用いて特定し視聴ユーザとする事も可能である。
【００４９】
この様に、デジタルテレビジョン装置の視聴に適した配置におり、尚且つデジタルテレビジョン装置の表示画面を向いているユーザに対してのみ前述の顔認識手段を用いる事で、デジタルテレビジョン装置を利用しているユーザとして認識すべき顔の大きさや向きを制限し、その結果、よりユーザの顔の認識に適した環境により認識精度の高い利用者の特定が可能となる。
【００５０】
また、この様な構成にする事で、デジタルテレビジョン装置を視聴可能な位置に居ながらも、デジタルテレビジョン装置に対して正面を向いていない、即ちデジタルテレビジョン装置を視聴していないユーザを、適切にデジタルテレビジョン装置の視聴ユーザリストから除外する事が可能となる。
【図面の簡単な説明】
【００５１】
【図１】本発明による第１の実施例におけるデジタルテレビジョン装置の外観図である。
【図２】本発明による第１の実施例におけるリモコン装置の外観図である。
【図３】本発明による第１の実施例におけるデジタルテレビジョン装置のシステムブロック図である。
【図４】本発明による第１の実施例の動作を説明する図である。
【図５】本発明による第１の実施例の動作を説明する図である。
【図６】本発明による第１の実施例の動作を説明する図である。
【図７】本本発明による第１の実施例の動作を説明する流れ図である。
【図８】従来例を説明する図である。
【図９】従来例を説明する図である。
【符号の説明】
【００５２】
１０１  デジタルテレビジョン機器本体
１０２〜１０５  ユーザ毎に使用するリモコン装置
２０１  リモコン装置本体
２０２〜２０５  上下左右移動ボタン
２０６  実行ボタン
２０７  データ放送用カラーボタン
２０８  チャンネルアップダウンボタン
２０９  音量ボタン
【図１】
2005117185.tif 000003
【図２】
2005117185.tif 000004
【図３】
2005117185.tif 000005
【図４】
2005117185.tif 000006
【図５】
2005117185.tif 000007
【図６】
2005117185.tif 000008
【図７】
2005117185.tif 000009
【図８】
2005117185.tif 000010
【図９】
2005117185.tif 000011